(57)【要約】  磁気軸受、圧縮機、および空気調整器の接続ワイヤー構造体が提供されている。磁気軸受の接続ワイヤー構造体は、回路基板を含み、磁気軸受の制御コイルを外部電力供給部に電気的に接続するために使用される。２つ以上の磁気軸受が存在している。２つ以上の磁気軸受の制御コイルは、回路基板に電気的に接続され得る。回路基板は、外部電力供給部に接続され得る。本発明は、合理的な設計および簡単な構造体を有しており、複数の磁気軸受の接続ワイヤーの一体化を現実化することが可能であり、それによって、接続動作を簡単化し、接続ワイヤーの信頼性を向上させながら、生産効率を改善する。
2021508363.tif 000002
【特許請求の範囲】
【請求項１】
磁気浮上軸受（１）の制御コイル（１１）を外部電源に電気的に接続するための、磁気浮上軸受の配線構造体であって、前記配線構造体は、回路基板（２）を含み、
前記磁気浮上軸受（１）の数は、２つ以上であり、２つ以上の前記磁気浮上軸受（１）の前記制御コイル（１１）は、すべて、前記回路基板（２）に電気的に接続するように構成されており、前記回路基板（２）は、前記外部電源に接続するように構成されている、磁気浮上軸受の配線構造体。
【請求項２】
前記回路基板（２）は、配線ソケット（２１）を設けられており、前記回路基板（２）は、前記配線ソケット（２１）を通して前記外部電源に接続されている、請求項１に記載の磁気浮上軸受の配線構造体。
【請求項３】
前記磁気浮上軸受の配線構造体は、アダプター部材（３）をさらに含み、
前記磁気浮上軸受（１）の前記制御コイル（１１）は、前記アダプター部材（３）を通して前記回路基板（３）に電気的に接続されており、前記アダプター部材（３）の数は、１対１の対応で前記磁気浮上軸受（１）の数に等しくなっている、請求項１または２に記載の磁気浮上軸受の配線構造体。
【請求項４】
前記磁気浮上軸受の配線構造体は、前記磁気浮上軸受（１）に固定して接続されているアダプタープレート（４）をさらに含み、前記アダプタープレート（４）は、前記磁気浮上軸受（１）の前記制御コイル（１１）に電気的に接続されており、
前記アダプター部材（３）は、第１の接続端部および第２の接続端部を含み、前記アダプター部材（３）は、前記第１の接続端部を通して前記回路基板（２）に接続されており、前記第２の接続端部を通して前記アダプタープレート（４）に接続されている、請求項３に記載の磁気浮上軸受の配線構造体。
【請求項５】
前記アダプタープレート（４）は、スクリューによって前記磁気浮上軸受（１）に固定されている、請求項４に記載の磁気浮上軸受の配線構造体。
【請求項６】
前記第１の接続端部は、前記回路基板（２）の上に溶接されている、請求項４に記載の磁気浮上軸受の配線構造体。
【請求項７】
前記回路基板（２）は、第１の接続ソケット（２２）を設けられており、前記第１の接続端部は、第１の接続プラグ（３１）を設けられており、前記第１の接続プラグ（３１）は、前記第１の接続ソケット（２２）の中へ挿入されるように構成されており、前記第１の接続端部を前記回路基板（２）に接続するようになっている、請求項４に記載の磁気浮上軸受の配線構造体。
【請求項８】
前記アダプタープレート（４）は、第２の接続ソケット（４１）を設けられており、前記第２の接続端部は、第２の接続プラグ（３２）を設けられており、前記第２の接続プラグ（３２）は、前記第２の接続ソケット（４１）の中へ挿入されるように構成されており、前記第２の接続端部を前記アダプタープレート（４）に接続するようになっている、請求項４に記載の磁気浮上軸受の配線構造体。
【請求項９】
前記磁気浮上軸受の配線構造体は、ハウジング（５）をさらに含み、
前記磁気浮上軸受（１）は、前記ハウジング（５）の中に配設されており、前記回路基板（２）は、前記ハウジング（５）に固定して接続されている、請求項１または２に記載の磁気浮上軸受の配線構造体。
【請求項１０】
前記回路基板（２）は、スクリューによって前記ハウジング（５）に固定されている、請求項９に記載の磁気浮上軸受の配線構造体。
【請求項１１】
磁気浮上軸受を含む圧縮機であって、前記磁気浮上軸受は、請求項１から１０のいずれか一項に記載の磁気浮上軸受の配線構造体を使用して、外部電源に電気的に接続されている、圧縮機。
【請求項１２】
請求項１１に記載の圧縮機を含む空気調整器。
【発明の詳細な説明】
【技術分野】
【０００１】
関連出願の相互参照
本出願は、２０１７年１１月３日に中国特許庁に出願された中国特許出願第２０１７１１０６９９５８．６号の優先権を主張し、その発明の名称は、「磁気浮上軸受、圧縮機、および空気調整器の配線構造体」であり、その開示は、その全体が参照により本明細書に組み込まれている。
【０００２】
本開示は、空気調整器の技術分野に関し、とりわけ、磁気浮上軸受、圧縮機、および空気調整器の配線構造体に関する。
【背景技術】
【０００３】
科学および技術の連続的な進歩、ならびに、生産性レベルの漸進的な改善によって、磁気浮上軸受は、圧縮機の製造において、幅広く適用されてきた。
【０００４】
通常、２つの磁気浮上軸受が、圧縮機の中に存在している。現在では、２つの磁気浮上軸受は、それぞれの接続ワイヤーを通して電源に電気的にそれぞれ接続されている。このように、それは、複雑な配線および低い生産効率を伴うだけでなく、不十分な信頼性も伴う。
【発明の概要】
【課題を解決するための手段】
【０００５】
本開示の１つの態様では、磁気浮上軸受の制御コイルを外部電源に電気的に接続するための、磁気浮上軸受の配線構造体が提供される。磁気浮上軸受の配線構造体は、回路基板を含み、磁気浮上軸受の数は、２つ以上であり、２つ以上の磁気浮上軸受の制御コイルは、すべて、回路基板に電気的に接続するように構成されており、回路基板は、外部電源に接続するように構成されている。
【０００６】
いくつかの実施形態では、回路基板は、配線ソケットを設けられており、回路基板は、配線ソケットを通して外部電源に接続されている。
【０００７】
いくつかの実施形態では、それは、アダプター部材をさらに含み、磁気浮上軸受の制御コイルは、アダプター部材を通して回路基板に電気的に接続されており、アダプター部材の数は、１対１の対応で磁気浮上軸受の数に等しくなっている。
【０００８】
いくつかの実施形態では、それは、磁気浮上軸受に固定して接続されているアダプタープレートをさらに含み、アダプタープレートは、磁気浮上軸受の制御コイルに電気的に接続されており、アダプター部材は、第１の接続端部および第２の接続端部を含み、アダプター部材は、第１の接続端部を通して回路基板に接続されており、第２の接続端部を通してアダプタープレートに接続されている。
【０００９】
いくつかの実施形態では、アダプタープレートは、スクリューによって磁気浮上軸受に固定されている。
【００１０】
いくつかの実施形態では、第１の接続端部は、回路基板の上に溶接されている。
【００１１】
いくつかの実施形態では、回路基板は、第１の接続ソケットを設けられており、第１の接続端部は、第１の接続プラグを設けられており、第１の接続プラグは、第１の接続ソケットの中へ挿入されるように構成されており、第１の接続端部を回路基板に接続するようになっている。
【００１２】
いくつかの実施形態では、アダプタープレートは、第２の接続ソケットを設けられており、第２の接続端部は、第２の接続プラグを設けられており、第２の接続プラグは、第２の接続ソケットの中へ挿入されるように構成されており、第２の接続端部をアダプタープレートに接続するようになっている。
【００１３】
いくつかの実施形態では、それは、ハウジングをさらに含み、磁気浮上軸受は、ハウジングの中に配設されており、回路基板は、ハウジングに固定して接続されている。
【００１４】
いくつかの実施形態では、回路基板は、スクリューによってハウジングに固定されている。
【００１５】
本開示の別の態様では、圧縮機が提供される。圧縮機は、磁気浮上軸受を含み、磁気浮上軸受は、上記の技術的特徴のいずれかを含む磁気浮上軸受の配線構造体を使用して、外部電源に電気的に接続されている。
【００１６】
本開示のさらなる態様では、空気調整器が提供される。空気調整器は、上記の技術的特徴のいずれかを含む圧縮機を含む。
【００１７】
本開示による磁気浮上軸受の配線構造体は、磁気浮上軸受のうちの２つ以上の制御コイルがすべて回路基板に電気的に接続するように構成されており、回路基板が外部電源に接続するように構成されているような技術的解決策を採用しており、それは、複数の磁気浮上軸受の配線を一体化することを実装するように適合されており、配線作業がより簡単になり、生産効率が改善され、同時に、配線の信頼性も改善されるようになっている。
【図面の簡単な説明】
【００１８】
本明細書で説明されている添付の図面は、本開示のさらなる理解を提供するために使用されており、また、本出願の一部を構成している。本開示の例示目的の実施形態およびその図示（それらは、本開示を説明するために使用されている）は、本開示の不適正な定義を構成していない。
【００１９】
【図１】本開示によって提供される磁気浮上軸受の配線構造体のいくつかの実施形態の概略構造図である。
【図２】図１の中のアダプター部材および回路基板を接続する別の様式の概略図である。
【発明を実施するための形態】
【００２０】
本開示の目的、技術的解決策および利点をより明示的にするために、本開示の技術的解決策は、本開示の特定の実施形態および対応する添付の図面に関連して、明示的におよび完全に下記に説明されることとなる。明らかに、説明されている実施形態は、すべての実施形態というよりもむしろ、単に本開示の実施形態の一部に過ぎない。本開示の実施形態に基づいて、発明的な努力が伴われないことを前提として当業者によって獲得されるすべての他の実施形態は、本開示の保護範囲の中に入る。
【００２１】
本出願の明細書および特許請求の範囲ならびに上述の添付の図面の中の「第１の」および「第２の」などの用語は、同様の対象物を区別するために使用されており、必ずしも、特定の順序またはシーケンスを説明するために使用されているわけではないということが留意されるべきである。そのように使用されるデータは、適宜、相互交換可能であり、ここで説明されている本出願の実施形態が、ここで図示または説明されているもの以外のシーケンスで実装され得るようになっているということが理解されるべきである。
【００２２】
いくつかの実施形態では、本開示は、磁気浮上軸受、圧縮機、および空気調整器の配線構造体を提供し、それは、複数の磁気浮上軸受の配線を一体化することを実装するように適合されており、より簡単な配線作業を作り出し、生産効率を改善し、同時に、配線の信頼性も改善するようになっている。
【００２３】
図１または図２に示されているように、磁気浮上軸受１の制御コイル１１を外部電源と電気的に接続するための磁気浮上軸受の配線構造体は、回路基板２を含む。磁気浮上軸受１の数は、２つ以上であり、２つ以上の磁気浮上軸受１の制御コイル１１は、すべて、回路基板２に電気的に接続するように構成されており、回路基板２は、外部電源に接続するように構成されている。
【００２４】
このように、２つ以上の磁気浮上軸受１の制御コイル１１は、最初に、回路基板２に電気的に接続し、次いで、回路基板２を通して外部電源に電気的に接続するように構成されている。相関技法と比較すると、これは、複数の磁気浮上軸受の配線を一体化することを実装し、配線作業がより簡単になり、生産効率が改善され、同時に、配線の信頼性も改善されるようになっている。
【００２５】
いくつかの実施形態では、配線ソケット２１が、回路基板２の上に設けられており、回路基板２は、配線ソケット２１を通して外部電源に接続されている。実際の使用時に、接続プラグが、回路基板２と外部電源との間の接続ワイヤーの上に設けられており、回路基板２は、接続プラグを接続ソケット２１の中へ挿入することによって、接続ワイヤーを通して外部電源に接続されており、回路基板２と外部電源との間の接続が、より簡単で便利になり、同時に、接続の信頼性も改善されるようになっている。
【００２６】
いくつかの実施形態では、図１または図２に示されているように、それは、アダプター部材３をさらに含み、磁気浮上軸受１の制御コイル１１が、アダプター部材３を通して、回路基板２に電気的に接続されている。アダプター部材３の数は、磁気浮上軸受に等しくなっており、１つのアダプター部材３が、１つの磁気浮上軸受に対応している。
【００２７】
いくつかの実施形態では、それは、磁気浮上軸受１に固定して接続されているアダプタープレート４をさらに含み、アダプタープレート４は、磁気浮上軸受１の制御コイル１１に電気的に接続されている。アダプター部材３は、第１の接続端部および第２の接続端部を含み、アダプター部材３は、第１の接続端部を通して回路基板２に接続されており、また、第２の接続端部を通してアダプタープレート４に接続されている。アダプター部材３は、アダプター部材４を通して磁気浮上軸受１の制御コイル１１に電気的に接続されており、アダプター部材３の据え付けの難しさを低減させることが可能であるようになっている。ここにおいて、アダプタープレート４は、随意的に、スクリューによって磁気浮上軸受１に固定されているが、それに限定されるわけではなく、その目的を実現するために採用される他の様式も随意的である。
【００２８】
いくつかの実施形態では、アダプター部材３と回路基板との間の第１の接続様式が、図１に示されており、アダプター部材３の第１の接続端部は、回路基板２に溶接されており、アダプター部材３と回路基板との間の信頼性の高い接続を保証するようになっている。
【００２９】
いくつかの実施形態では、アダプター部材３と回路基板との間の第２の接続様式が、図２に示されており、回路基板２は、第１の接続ソケット２２を設けられており、第１の接続端部は、第１の接続プラグ３１を設けられており、第１の接続プラグ３１は、第１の接続端部を回路基板２に接続するために、第１の接続ソケット２２の中へ挿入可能である。このように、アダプター部材３は、随意的に、差し込むおよび抜くことによって、回路基板２に装着されるか、または、回路基板２から取り外され、それは、装着および取り外しの作業をより簡単にし、同時に、それは、アダプター部材３と回路基板２との間の接続の信頼性も保証する。
【００３０】
いくつかの実施形態では、アダプター部材３とアダプタープレート４との間の接続が、図１または図２に示されている。アダプタープレート４は、第２の接続ソケット４１を設けられており、第２の接続端部は、第２の接続プラグ３２を設けられており、第２の接続プラグ３２は、第２の接続端部をアダプタープレート４に接続するために、第２の接続ソケット４１の中へ挿入可能である。このように、アダプター部材３は、随意的に、差し込むおよび抜くことによって、アダプタープレート４に装着されるか、または、アダプタープレート４から取り外され、それは、装着および取り外しの作業をより簡単にし、同時に、それは、アダプター部材３とアダプタープレート４との間の接続の信頼性も保証する。
【００３１】
いくつかの実施形態では、それは、ハウジング５も含む。実際の使用時に、磁気浮上軸受１は、ハウジング５の中に配設されており、このときに、回路基板２は、ハウジング５に固定して接続するように構成されており、回路基板２の安定した据え付け状態を現実化するようになっている。ここにおいて、回路基板２は、随意的に、スクリューによってハウジング５に固定されているが、それに限定されるわけではなく、その目的を現実化するために採用される他の様式も随意的である。
【００３２】
本開示の目的を実現するために、本開示の別の態様では、圧縮機が提供される。圧縮機は、磁気浮上軸受を含み、磁気浮上軸受は、上記の実施形態のいずれかの中で説明されている磁気浮上軸受の配線構造体を使用することによって、外部電源に電気的に接続されている。
【００３３】
本開示の目的を実現するために、本開示のさらなる態様では、空気調整器が提供される。空気調整器は、上記の実施形態の中で説明されている圧縮機を含む。
【００３４】
上記の実施形態は、合理的な設計および簡単な構造体という利点を本開示に持たせ、それは、複数の磁気浮上軸受の配線を一体化することを実装するように適合されており、配線作業がより簡単になり、生産効率が改善され、同時に、配線の信頼性も改善されるようになっている。
【００３５】
上記の説明は、単に本開示の実施形態に過ぎず、本開示を限定することを意図していない。当業者のために、本開示は、さまざまな修正例および変更例を有することが可能である。本開示の精神および原理の中で行われた任意の修正、均等な置換、または改善は、本開示の特許請求の範囲の中に含まれているべきである。
【符号の説明】
【００３６】
１  磁気浮上軸受
１１  制御コイル
２  回路基板
２１  配線ソケット
２２  第１の接続ソケット
３  アダプター部材
３１  第１の接続プラグ
３２  第２の接続プラグ
４  アダプタープレート
４１  第２の接続ソケット
５  ハウジング
【図１】
2021508363.tif 000003
【図２】
2021508363.tif 000004
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
磁気浮上軸受アッセンブリであって、磁気浮上軸受アッセンブリは、
磁気浮上軸受（１）と、
前記磁気浮上軸受（１）の制御コイル（１１）を外部電源に電気的に接続するための、磁気浮上軸受の配線構造体であって、前記配線構造体は、回路基板（２）を含む、配線構造体と
を含み、
前記磁気浮上軸受（１）の数は、２つ以上であり、２つ以上の前記磁気浮上軸受（１）の前記制御コイル（１１）は、すべて、前記回路基板（２）に電気的に接続するように構成されており、前記回路基板（２）は、前記外部電源に接続するように構成されている、磁気浮上軸受アッセンブリ。
【請求項２】
前記回路基板（２）は、配線ソケット（２１）を設けられており、前記回路基板（２）は、前記配線ソケット（２１）を通して前記外部電源に接続されている、請求項１に記載の磁気浮上軸受アッセンブリ。
【請求項３】
前記磁気浮上軸受の配線構造体は、アダプター部材（３）をさらに含み、
前記磁気浮上軸受（１）の前記制御コイル（１１）は、前記アダプター部材（３）を通して前記回路基板（３）に電気的に接続されており、前記アダプター部材（３）の数は、１対１の対応で前記磁気浮上軸受（１）の数に等しくなっている、請求項１または２に記載の磁気浮上軸受アッセンブリ。
【請求項４】
前記磁気浮上軸受の配線構造体は、前記磁気浮上軸受（１）に固定して接続されているアダプタープレート（４）をさらに含み、前記アダプタープレート（４）は、前記磁気浮上軸受（１）の前記制御コイル（１１）に電気的に接続されており、
前記アダプター部材（３）は、第１の接続端部および第２の接続端部を含み、前記アダプター部材（３）は、前記第１の接続端部を通して前記回路基板（２）に接続されており、前記第２の接続端部を通して前記アダプタープレート（４）に接続されている、請求項３に記載の磁気浮上軸受アッセンブリ。
【請求項５】
前記アダプタープレート（４）は、スクリューによって前記磁気浮上軸受（１）に固定されている、請求項４に記載の磁気浮上軸受アッセンブリ。
【請求項６】
前記第１の接続端部は、前記回路基板（２）の上に溶接されている、請求項４に記載の磁気浮上軸受アッセンブリ。
【請求項７】
前記回路基板（２）は、第１の接続ソケット（２２）を設けられており、前記第１の接続端部は、第１の接続プラグ（３１）を設けられており、前記第１の接続プラグ（３１）は、前記第１の接続ソケット（２２）の中へ挿入されるように構成されており、前記第１の接続端部を前記回路基板（２）に接続するようになっている、請求項４に記載の磁気浮上軸受アッセンブリ。
【請求項８】
前記アダプタープレート（４）は、第２の接続ソケット（４１）を設けられており、前記第２の接続端部は、第２の接続プラグ（３２）を設けられており、前記第２の接続プラグ（３２）は、前記第２の接続ソケット（４１）の中へ挿入されるように構成されており、前記第２の接続端部を前記アダプタープレート（４）に接続するようになっている、請求項４に記載の磁気浮上軸受アッセンブリ。
【請求項９】
前記磁気浮上軸受の配線構造体は、ハウジング（５）をさらに含み、
前記磁気浮上軸受（１）は、前記ハウジング（５）の中に配設されており、前記回路基板（２）は、前記ハウジング（５）に固定して接続されている、請求項１または２に記載の磁気浮上軸受アッセンブリ。
【請求項１０】
前記回路基板（２）は、スクリューによって前記ハウジング（５）に固定されている、請求項９に記載の磁気浮上軸受アッセンブリ。
【請求項１１】
請求項１から１０のいずれか一項に記載の磁気浮上軸受アッセンブリを含む圧縮機であって、前記磁気浮上軸受は、前記磁気浮上軸受の配線構造体を使用して、外部電源に電気的に接続されている、圧縮機。
【請求項１２】
請求項１１に記載の圧縮機を含む空気調整器。
【国際調査報告】
2021508363.tif 000005
2021508363.tif 000006
2021508363.tif 000007
2021508363.tif 000008